(57)【要約】【課題】  調光装置の設置スペースを大きくすることなく調光装置にて照明光の光量を良好に調整できるプロジェクタを提供する。【解決手段】プロジェクタは、光学部品用筐体４５内部において第１レンズアレイおよび第２レンズアレイ４１３の間に介在配置され、第１レンズアレイから射出され第２レンズアレイ４１３に入射する光束の光量を調整する調光装置７を備える。調光装置７は、照明光軸に対して対称配置され、回動可能とし回動することで第１レンズアレイから射出された光束を部分的に遮蔽する一対の遮蔽部材を含んで構成される。一対の遮蔽部材は、遮蔽部材が最も光束を遮光するまで回動した状態において、第１レンズアレイから射出された光束を遮光する遮光領域７４１１が光束射出側に位置し、第１レンズアレイから射出された光束を遮光しない非遮光領域７４１２が光束入射側に位置する段付形状を有している。【選択図】 図１１
2007071913.tif 000002
【特許請求の範囲】
【請求項１】
光源を有するインテグレータ照明光学系と、前記インテグレータ照明光学系から射出された光束を画像情報に応じて変調して光学像を形成する光変調装置と、前記光学像を拡大投射する投射光学装置と、内部に照明光軸が設定され前記インテグレータ照明光学系および前記光変調装置を前記照明光軸に応じた位置に配置する光学部品用筐体とを備えたプロジェクタであって、
前記インテグレータ照明光学系は、前記光源から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイとともに前記複数の部分光束を前記光変調装置の画像形成領域に重畳させる重畳レンズとを含んで構成され、
前記光学部品用筐体内部において前記第１レンズアレイおよび前記第２レンズアレイの間に介在配置され、前記第１レンズアレイから射出され前記第２レンズアレイに入射する光束の光量を調整する調光装置を備え、
前記調光装置は、前記照明光軸に対して対称配置され、回動可能とし回動することで前記第１レンズアレイから射出された光束を部分的に遮蔽する一対の遮蔽部材を含んで構成され、
前記一対の遮蔽部材は、前記遮蔽部材が最も光束を遮光するまで回動した状態において、前記第１レンズアレイから射出された光束を遮光する遮光領域が光束射出側に位置し、前記第１レンズアレイから射出された光束を遮光しない非遮光領域が光束入射側に位置する段付形状を有していることを特徴とするプロジェクタ。
【請求項２】
請求項１に記載のプロジェクタにおいて、
前記調光装置は、前記一対の遮蔽部材を回動可能に軸支する回動軸と、前記一対の遮蔽部材に係合し前記一対の遮蔽部材を回動させる駆動機構と、前記回動軸、前記一対の遮蔽部材、および前記駆動機構をそれぞれ支持して一体化し前記調光装置を前記光学部品用筐体に対して着脱自在とする固定部材とを備えていることを特徴とするプロジェクタ。
【請求項３】
請求項２に記載のプロジェクタにおいて、
前記固定部材は、弾性部材を介して前記光学部品用筐体に取り付けられ、前記光学部品用筐体に取り付けられた状態では前記弾性部材により前記光学部品用筐体に機械的に干渉しない非干渉状態となることを特徴とするプロジェクタ。
【請求項４】
請求項２または請求項３に記載のプロジェクタにおいて、
前記固定部材に対する前記回動軸の取付位置には、前記回動軸を前記固定部材に対して付勢する付勢部材が設けられていることを特徴とするプロジェクタ。
【発明の詳細な説明】
【技術分野】
【０００１】
本発明は、プロジェクタに関する。
【背景技術】
【０００２】
従来、光源を有するインテグレータ照明光学系と、このインテグレータ照明光学系から射出された光束を画像情報に応じて変調して光学像を形成する光変調装置と、形成された光学像を拡大投射する投射光学装置とを備えたプロジェクタが知られている。
このようなプロジェクタにおいては、投影画像のコントラスト向上のために、光源から射出され、光変調装置に入射する光束の光量を調整する場合がある。しかしながら、光源として高圧水銀ランプ等の放電光源が用いられている場合には、単に光源の発光光量を低減させようとしても、１００％の発光光量を７０％程度にしか低減させることができず、光量の十分な低減を図れないという問題があった。
このような問題に対して、光源から射出された光束を部分的に遮蔽する開閉遮光部材（調光装置）を備えたプロジェクタが知られている（例えば、特許文献１参照）。
特許文献１に記載の調光装置は、第１レンズアレイおよび第２レンズアレイ間に配設される。この調光装置は、その先端部分が第２レンズアレイ側に位置するように回動自在に構成される一対の矩形板状の遮光板を有する。そして、この調光装置は、一対の遮光板を回動させることで、第１レンズアレイから第２レンズアレイに向う照明光を部分的に遮蔽する。
【０００３】
【特許文献１】特開２００４−２６４８１９号公報
【発明の開示】
【発明が解決しようとする課題】
【０００４】
しかしながら、特許文献１に記載の調光装置では、一対の遮光板を回動させる構成であるので、遮光板の回動時に遮光板が他の部材に機械的に干渉しないように、該調光装置を設置するスペースを大きくする必要がある。
また、調光装置として、光源から射出された光束に略直交するように遮光板を配設し、該遮光板を光源から射出された光束に略直交した状態で光路内外にスライド移動させ、照明光を部分的に遮蔽する構成を採用した場合であっても、遮光板を光路外にスライド移動させるためのスペースが必要となり、上記同様に、調光装置を設置するスペースを大きくする必要がある。
【０００５】
本発明の目的は、調光装置の設置スペースを大きくすることなく調光装置にて照明光の光量を良好に調整できるプロジェクタを提供することにある。
【課題を解決するための手段】
【０００６】
本発明のプロジェクタは、光源を有するインテグレータ照明光学系と、前記インテグレータ照明光学系から射出された光束を画像情報に応じて変調して光学像を形成する光変調装置と、前記光学像を拡大投射する投射光学装置と、内部に照明光軸が設定され前記インテグレータ照明光学系および前記光変調装置を前記照明光軸に応じた位置に配置する光学部品用筐体とを備えたプロジェクタであって、前記インテグレータ照明光学系は、前記光源から射出された光束を複数の部分光束に分割する複数のレンズ要素を有する第１レンズアレイと、前記第１レンズアレイの前記複数のレンズ要素に応じた複数のレンズ要素を有する第２レンズアレイと、前記第２レンズアレイとともに前記複数の部分光束を前記光変調装置の画像形成領域に重畳させる重畳レンズとを含んで構成され、前記光学部品用筐体内部において前記第１レンズアレイおよび前記第２レンズアレイの間に介在配置され、前記第１レンズアレイから射出され前記第２レンズアレイに入射する光束の光量を調整する調光装置を備え、前記調光装置は、前記照明光軸に対して対称配置され、回動可能とし回動することで前記第１レンズアレイから射出された光束を部分的に遮蔽する一対の遮蔽部材を含んで構成され、前記一対の遮蔽部材は、前記遮蔽部材が最も光束を遮光するまで回動した状態において、前記第１レンズアレイから射出された光束を遮光する遮光領域が光束射出側に位置し、前記第１レンズアレイから射出された光束を遮光しない非遮光領域が光束入射側に位置する段付形状を有していることを特徴とする。
【０００７】
ところで、光学部品用筐体としては、第１レンズアレイ、第２レンズアレイ、および重畳レンズ等の光学部品を内部に収納配置する容器状の部品収納部材と、部品収納部材の開口部分を閉塞する蓋状部材とを備える構成が多用される。また、このような構成において、部品収納部材における第１レンズアレイ、第２レンズアレイ、および重畳レンズ等の光学部品の支持構造は、前記光学部品に光束が照射されない非照射部位を支持する構造が多用される。
本発明では、調光装置は、第１レンズアレイおよび第２レンズアレイの間に配設され、回動可能とし回動することで第１レンズアレイから射出された光束を部分的に遮蔽する一対の遮蔽部材を備える。そして、一対の遮蔽部材は、遮光領域が光束射出側に位置し、非遮光領域が光束入射側に位置する段付形状を有する。このことにより、光学部品用筐体における第２レンズアレイの支持構造に対して一対の遮蔽部材における非遮光領域が機械的に干渉することなく一対の遮蔽部材における遮光領域を第２レンズアレイの近接位置に配設できる。また、一対の遮蔽部材を回動させた場合であっても、一対の遮蔽部材と光学部品用筐体における第２レンズアレイの支持構造とが機械的に干渉することを回避できる構造を実現できる。
したがって、一対の遮蔽部材を第２レンズアレイに近接配置できかつ、一対の遮蔽部材を回動させた場合であっても第２レンズアレイの支持構造と機械的に干渉しない構造を実現できるため、調光装置を設置するスペースを不要に大きくすることなく狭いスペースにも配設可能とし、調光装置にて照明光の光量を良好に調整できる。
【０００８】
本発明のプロジェクタでは、前記調光装置は、前記一対の遮蔽部材を回動可能に軸支する回動軸と、前記一対の遮蔽部材に係合し前記一対の遮蔽部材を回動させる駆動機構と、前記回動軸、前記一対の遮蔽部材、および前記駆動機構をそれぞれ支持して一体化し前記調光装置を前記光学部品用筐体に対して着脱自在とする固定部材とを備えていることが好ましい。
本発明では、調光装置は、一対の遮蔽部材、回動軸、および駆動機構をそれぞれ支持して一体化する固定部材を備えている。すなわち、調光装置は、固定部材により、一対の遮蔽部材、回動軸、および駆動機構がユニット化される。そして、固定部材は、調光装置全体を光学部品用筐体に対して着脱自在とする。このことにより、例えば、一対の遮蔽部材、回動軸、および駆動機構を光学部品用筐体に直接、支持させる構成と比較して、調光装置に何らかの不具合により交換を行う際に、調光装置全体を光学部品用筐体に対して取り外すことができ、容易に調光装置の交換を行うことができる。また、光学部品用筐体内部の狭いスペースで一対の遮蔽部材、回動軸、および駆動機構を光学部品用筐体に直接、取り付ける作業を実施する必要がなく、一対の遮蔽部材、回動軸、および駆動機構を固定部材に取り付けた後、調光装置を光学部品用筐体に対して取り付けるだけで調光装置を設置でき、調光装置の組み立ても容易に実施できる。
【０００９】
本発明のプロジェクタでは、前記固定部材は、弾性部材を介して前記光学部品用筐体に取り付けられ、前記光学部品用筐体に取り付けられた状態では前記弾性部材により前記光学部品用筐体に機械的に干渉しない非干渉状態となることが好ましい。
本発明では、ユニット化された調光装置は、固定部材と光学部品用筐体との間に弾性部材を介して光学部品用筐体に対して取り付けられる。そして、ユニット化された調光装置は、弾性部材により光学部品用筐体に機械的に干渉しない非干渉状態（フローティング状態）となる。このことにより、駆動機構としてモータ等を採用した場合に、モータ等の駆動による振動を弾性部材にて吸収させることができ、前記振動が光学部品用筐体に伝達されることを回避できる。このため、投射光学装置にて拡大投射された投影画像が前記振動に連動して振動することがなく、投影画像を利用者に良好に観賞させることができる。
【００１０】
本発明のプロジェクタでは、前記固定部材に対する前記回動軸の取付位置には、前記回動軸を前記固定部材に対して付勢する付勢部材が設けられていることが好ましい。
本発明によれば、付勢部材が回動軸を固定部材に対して付勢するので、回動軸および固定部材間の取り付けガタを無くすことができ、一対の遮蔽部材を良好に回動させ調光装置にて照明光の光量を良好に調整できる。
【発明を実施するための最良の形態】
【００１１】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された画像光を拡大投射する。
【００１２】
外装筺体２は、合成樹脂製の筺体であり、プロジェクタ１の装置本体を収納する。この外装筺体２は、図１または図２に示すように、装置本体の上部部分を覆うアッパーケース２１と、装置本体の下部部分を覆うロアーケース２２と、装置本体の前面部分を覆うフロントケース２３（図１）とを備える。
アッパーケース２１は、図１または図２に示すように、外装筺体２の天面、側面の一部、背面の一部、および前面の一部をそれぞれ形成する天面部２１Ａ、側面部２１Ｂ（図２），２１Ｃ（図１）、背面部２１Ｄ（図２）、および前面部２１Ｅ（図１）を含んで構成される。
【００１３】
天面部２１Ａは、図１または図２に示すように、平面視略矩形形状を有し、平面視略中央部分から前面側、側面側、および背面側にかけて、なだらかに湾曲し、凸曲面形状を有する。
この天面部２１Ａにおいて、前方側であって、前方から見て右側部分には、図１または図２に示すように、２つの開口部２１Ａ１が形成されている。そして、２つの開口部２１Ａ１は、投射レンズ３を操作可能としスクリーン（図示略）上に投射された投影画像の投射位置調整を実施するための各種回転つまみ３Ａの一部を露出させる。
また、この天面部２１Ａにおいて、開口部２１Ａ１の後方側には、図１または図２に示すように、プロジェクタ１の起動・調整操作を実施する操作パネル２４が左右方向に延びるように設けられている。操作パネル２４の操作ボタン２４１を適宜押下すると、操作ボタン２４１内部に配置される図示しない回路基板に実装されたタクトスイッチと接触し、所望の操作が可能となる。また、前記回路基板には、図示しないＬＥＤ（Light Emitting Diode）が取り付けられており、所定の操作に応じて発光するようになっている。
なお、前述した操作パネル２４の回路基板は、制御基板（図示略）と電気的に接続され、操作ボタン２４１の押下に伴う操作信号は、前記制御基板に出力される。
【００１４】
側面部２１Ｂ，２１Ｃ、背面部２１Ｄ、および前面部２１Ｅは、図１または図２に示すように、天面部２１Ａにおける平面視矩形形状の各端縁から略垂下する部分である。
これらのうち背面部２１Ｄにおいて、背面側から見て左側部分には、図２に示すように、下端縁から上方側に向けて平面視コ字状の切り欠き２１Ｄ１が形成されている。
また、前面部２１Ｅには、図１に示すように、下端縁から上方側に向けて平面視コ字状の切り欠き２１Ｅ１が形成されている。
【００１５】
ロアーケース２２は、図１または図２に示すように、外装筺体２の底面、側面の一部、背面の一部、および前面の一部をそれぞれ形成する底面部２２Ａ、側面部２２Ｂ（図２），２２Ｃ（図１）、背面部２２Ｄ（図２）、および前面部２２Ｅ（図１）を含んで構成される。
底面部２２Ａは、具体的な図示は省略するが、略矩形状の平坦面で構成されている。そして、この底面部２２Ａには、机等の接地面に接地する複数の脚部や、プロジェクタ１内部に外部の冷却空気を導入するための吸気口が形成されている。
【００１６】
側面部２２Ｂ，２２Ｃ、背面部２２Ｄ、および前面部２２Ｅは、図１または図２に示すように、底面部２２Ａにおける平面視矩形形状の各端縁から上方に立設する部分である。
これらのうち背面部２２Ｄにおいて、背面側から見て左側部分には、図２に示すように、上端縁から下方側に向けて平面視コ字状の切り欠き２２Ｄ１が形成されている。そして、アッパーケース２１およびロアーケース２２を組み合わせた状態で切り欠き２１Ｄ１，２２Ｄ１が接続して開口部２５が形成される。この開口部２５には、図２に示すように、該開口部２５の形状に対応した外形形状を有する接続端子設置部２６が嵌合固定される。
この接続端子設置部２６は、図２に示すように、背面部２１Ｄ，２２Ｄの端面よりも内側に窪む断面略コ字形状を有し、底部分に複数の孔２６１が形成されている。そして、図２に示すように、これら複数の孔２６１を介して、外部の電子機器からの画像信号、音声信号等を入力するための複数の接続端子２７が露出している。また、この接続端子設置部２６の内側には、接続端子２７から入力される信号を処理するインターフェース基板（図示略）が配置されている。
なお、前記インターフェース基板は、制御基板（図示略）と電気的に接続され、インターフェース基板にて処理された信号は、制御基板に出力される。
【００１７】
また、背面部２２Ｄにおいて、切り欠き２２Ｄ１の下方側には、図２に示すように、２つの開口部２２Ｄ２，２２Ｄ３が形成されている。そして、図２に示すように、背面側から見て左側に位置する開口部２２Ｄ２を介して内部のインレットコネクタ２８が露出し、外部の電力をプロジェクタ１の装置本体に供給可能としている。また、図２に示すように、背面側から見て右側に位置する開口部２２Ｄ３を介して電源スイッチ２９が露出し、該電源スイッチ２９を切り替えることで、プロジェクタ１の主電源のＯＮ／ＯＦＦが可能となる。
なお、この電源スイッチ２９は、制御基板（図示略）と電気的に接続され、電源スイッチ２９の切り替えに伴う操作信号は、前記制御基板に出力される。
【００１８】
また、前面部２２Ｅには、図１に示すように、上端縁から下方側に向けて平面視コ字状の切り欠き２２Ｅ１が形成されている。そして、アッパーケース２１およびロアーケース２２が組み合わされた状態で、前面部２１Ｅの切り欠き２１Ｅ１のコ字状内側部分、および前面部２２Ｅの切り欠き２２Ｅ１のコ字状内側部分にてフロントケース２３が支持固定される。
【００１９】
フロントケース２３は、図１に示すように、左右方向に延びる略楕円形状を有し、アッパーケース２１およびロアーケース２２と接続することで、切り欠き２１Ｅ１，２２Ｅ１にて形成される開口部分を閉塞する。
このフロントケース２３において、前方から見て右側部分には、図１に示すように、外装筺体２の内側に窪み、底部分に略円形状の開口２３１が形成されている。そして、この開口２３１は、投射レンズ３の先端部分を露出させる。
また、このフロントケース２３において、長手方向略中央部分には、図１に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２４に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２０】
さらに、このフロントケース２３において、前方から見て左側部分には、図１に示すように、プロジェクタ１内部にて温められた空気を外部に排出するための平面視矩形状の排気口２３３が形成されている。
また、この排気口２３３周縁部分は、図１に示すように、内部に向けて突出する筒形状を有するように形成されている。より具体的には、排気口２３３周縁部分は、投射レンズ３に近接する方向に向けて投射レンズ３からの投射方向に対して傾斜して突出する筒形状を有するように形成されている。そして、排気口２３３の筒状内側部分には、図１に示すように、上下に架設され、排気口２３３周縁部分の突出方向に延出する複数の羽根板２３３Ａが形成されている。
【００２１】
〔２．内部構成〕
図３および図４は、プロジェクタ１の内部構成を示す図である。具体的に、図３は、アッパーケース２１および制御基板を取り外した状態を前面上方側から見た斜視図である。図４は、アッパーケース２１および制御基板を取り外した状態を背面上方側から見た斜視図である。
外装筺体２の内部には、図３または図４に示すように、プロジェクタ１の装置本体が収容されている。この装置本体は、光学装置としての光学ユニット４と、電源ユニット５と、冷却ユニット６等を含んで構成される。
なお、装置本体は、図示は省略するが、光学ユニット４、電源ユニット５、および冷却ユニット６の他、光学ユニット４の上方側に配置されプロジェクタ１全体を制御する制御基板等を備えている。
【００２２】
〔３．光学ユニットの詳細な構成〕
図５は、光学ユニット４の光学系を模式的に示す平面図である。
光学ユニット４は、前記制御基板による制御の下、画像情報に応じて画像光を形成する。この光学ユニット４は、図３または図４に示すように、外装筺体２内において、背面部２１Ｄ，２２Ｄに沿って左右方向に延び、側面部２１Ｂ，２２Ｂに沿って前方に延びる平面視Ｌ字形状を有している。
この光学ユニット４は、図５に示すように、インテグレータ照明光学系４１と、色分離光学系４２と、リレー光学系４３と、電気光学装置４４と、調光装置７と、これらの光学部品４１〜４４および調光装置７を内部に収納するとともに、投射レンズ３を所定位置で支持固定する合成樹脂製の光学部品用筐体４５とを備える。
インテグレータ照明光学系４１は、電気光学装置４４を構成する後述する各液晶パネルの画像形成領域をほぼ均一に照明するための光学系である。このインテグレータ照明光学系４１は、図５に示すように、光源装置４１１と、第１レンズアレイ４１２と、第２レンズアレイ４１３と、偏光変換素子４１４と、重畳レンズ４１５とを備えている。
【００２３】
光源装置４１１は、放射状の光線を射出する放射光源としての光源ランプ４１１Ａと、この光源ランプ４１１Ａから射出された放射光を反射するリフレクタ４１１Ｂと、ランプハウジング４１１Ｃ（図３ないし図５）とを備える。光源ランプ４１１Ａとしては、高圧放電ランプ、例えば、ハロゲンランプやメタルハライドランプ、または高圧水銀ランプ等を採用できる。リフレクタ４１１Ｂとしては、放物面鏡を用いている。なお、放物面鏡の他、平行化凹レンズと共に楕円面鏡を用いてもよい。
ランプハウジング４１１Ｃは、光源ランプ４１１Ａおよびリフレクタ４１１Ｂを内部に収納するものであり、ロアーケース２２の底面部分に取り付けられるとともに光学部品用筐体４５と接続する。
【００２４】
第１レンズアレイ４１２は、光軸方向から見てほぼ矩形状の輪郭を有する小レンズ（レンズ要素）がマトリクス状に配列された構成を有している。各小レンズは、光源ランプ４１１Ａから射出される光束を、複数の部分光束に分割している。
第２レンズアレイ４１３は、第１レンズアレイ４１２と略同様な構成を有しており、小レンズ（レンズ要素）がマトリクス状に配列された構成を有している。この第２レンズアレイ４１３は、重畳レンズ４１５とともに、第１レンズアレイ４１２の各小レンズの像を後述する液晶パネル上に結像させる機能を有している。
【００２５】
偏光変換素子４１４は、第２レンズアレイ４１３の光路後段側に配置される。このような偏光変換素子４１４は、第２レンズアレイ４１３からの光を略１種類の偏光光に変換するものであり、これにより、電気光学装置４４での光の利用効率が高められている。
具体的に、偏光変換素子４１４によって略１種類の偏光光に変換された各部分光は、重畳レンズ４１５によって最終的に電気光学装置４４の後述する各液晶パネル上にほぼ重畳される。偏光光を変換するタイプの液晶パネルを用いた本実施形態のプロジェクタ１では、１種類の偏光光しか利用できないため、他種類のランダムな偏光光を発する光源ランプ４１１Ａからの光束の略半分が利用されない。このため、偏光変換素子４１４を用いることにより、光源ランプ４１１Ａから射出された光束を略全て１種類の偏光光に変換し、電気光学装置４４での光の利用効率を高めている。
【００２６】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００２７】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１３から射出された各部分光束をその中心軸（主光線）に対して平行な光束に変換する。他の緑色光および青色光用の液晶パネルの光入射側に設けられたフィールドレンズ４１７も同様である。
【００２８】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、さらにフィールドレンズ４１７を通って青色光用の液晶パネルに達する。なお、青色光にリレー光学系４３が用いられているのは、青色光の光路の長さが他の色光の光路の長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００２９】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、色合成光学装置としてのクロスダイクロイックプリズム４４３とを備えている。
液晶パネル４４１は、例えば、ポリシリコンＴＦＴ(Thin Film Transistor)をスイッチング素子として用いたものであり、色分離光学系４２で分離された各色光は、これら３枚の液晶パネル４４１とこれらの光束入射側および射出側にある偏光板４４２によって、画像情報に応じて変調されて光学像を形成する。
【００３０】
偏光板４４２は、液晶パネル４４１の光路前段側および光路後段側に配置される入射側偏光板４４２Ａ、射出側偏光板４４２Ｂを備える。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４５を構成する後述する位置調整機構により、光学部品用筐体４５内に設定される所定の照明光軸に対して位置調整可能に配置されている。
【００３１】
射出側偏光板４４２Ｂも、入射側偏光板４４２Ａと略同様に構成され、液晶パネル４４１から射出された光束のうち、所定方向の偏光光のみ透過させ、その他の光束を吸収するものである。また、基板を用いずに、偏光膜をクロスダイクロイックプリズム４４３に貼り付けてもよいし、基板をクロスダイクロイックプリズム４４３に貼り付けてもよい。
これらの入射側偏光板４４２Ａ、射出側偏光板４４２Ｂは、互いの偏光軸の方向が直交するように設定されている。
【００３２】
視野角補正板４４４は、基板上に液晶パネル４４１で形成された光学像の視野角を補正する機能を有する光学変換膜が形成されたものである。このような視野角補正板４４４を配置することにより、黒画面時の光漏れを低減し投影画像のコントラストが大幅に向上する。そして、この視野角補正板４４４は、入射側偏光板４４２Ａと略同様に、光学部品用筐体４５を構成する後述する位置調整機構により、光学部品用筐体４５内に設定される所定の照明光軸に対して位置調整可能に配置されている。
【００３３】
クロスダイクロイックプリズム４４３は、３枚の液晶パネル４４１から射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
【００３４】
調光装置７は、図５に示すように、第１レンズアレイ４１２と第２レンズアレイ４１３との間に配設され、前記制御基板による制御の下、後述する一対の遮蔽部材が回動することで光源装置４１１から射出され第１レンズアレイ４１２を介して第２レンズアレイ４１３に向う照明光の光量を調整するものである。
なお、調光装置７の具体的な構成については、後述する。
【００３５】
以上説明した各光学系４１〜４４および調光装置７は、光学部品用筺体４５内に収容されている。
光学部品用筐体４５は、図３ないし図５に示すように、内部に光源装置４１１から射出された光束の照明光軸Ａ（図５）が設定され、前述の各光学部品４１２〜４１５，４１７，４２１〜４２３，４３１〜４３４，４４２Ａ，４４４、および調光装置７を上方からスライド式に嵌め込む溝部（例えば、図１１に示す溝部４５１Ａ参照）がそれぞれ設けられた容器状の部品収納部材４５１（図３、図５）と、部品収納部材４５１の上部の開口を閉塞する蓋状の蓋状部材４５２と、蓋状部材４５２の一部を含み、入射側偏光板４４２Ａおよび視野角補正板４４４の双方の位置調整を実施する位置調整機構４４５（図３、図４）とを備えて構成されている。
また、平面視略Ｌ字状の光学部品用筐体４５の一端側には、照明光軸Ａ（図５）に対する所定位置に光源装置４１１が配設され、他端側には、照明光軸Ａに対する所定位置に投射レンズ３が固定されている。また、投射レンズ３の光路前段側には、電気光学装置４４が固定されている。
【００３６】
〔４．電源ユニットの構成〕
電源ユニット５は、インレットコネクタ２８（図２）を介して外部から供給された電力を各構成部材に供給するものである。この電源ユニット５は、図３または図４に示すように、光学ユニット４の光源装置４１１の側方であって、外装筺体２の側面部２１Ｃ，２２Ｃに沿って配設される。この電源ユニット５は、図３または図４に示すように、電源ブロック５１と、ランプ駆動ブロック５２とを備える。
電源ブロック５１は、光源装置４１１の側方に配設され、インレットコネクタ２８を介して外部から供給された電力をランプ駆動ブロック５２および前記制御基板等に供給する。この電源ブロック５１は、入力される交流を所定の電圧に変換するトランスや該トランスからの出力を所定の電圧の直流に変換する変換回路等が片面に実装された回路基板（図示略）と、この回路基板を覆う箱状部材５１１とを備える。
箱状部材５１１は、図３または図４に示すように、光源装置４１１とで略Ｌ字形状を有するように、前後方向に延出する形状を有している。そして、この箱状部材５１１には、背面側に冷却ユニット６からの空気を内部に導入するための第１導入口５１１Ａ（図４）が形成され、光源装置４１１とで形成される略Ｌ字形状の内側端面に内部の空気を外部に排出するための排出口５１１Ｂ（図３）が形成されている。また、図示は省略するが、この箱状部材５１１には、光源装置４１１から離間する側の端面にランプ駆動ブロック５２から排出された空気を導入するための第２導入口が形成されている。
【００３７】
ランプ駆動ブロック５２は、電源ブロック５１の側方で側面部２１Ｃ，２２Ｃに沿って配設され、光源装置４１１に安定した電圧で電力を供給するための変換回路等が片面に実装された回路基板（図示略）を備え、電源ブロック５１から入力した商用交流電流は、このランプ駆動ブロック５２によって整流、変換されて、直流電流や交流矩形波電流となって光源装置４１１に供給される。また、ランプ駆動ブロック５２の前記回路基板は、電源ブロック５１と同様に、箱状部材５２１内部に収納されている。
箱状部材５２１は、図３または図４に示すように、箱状部材５１１と平行に前後方向に延出する形状を有している。そして、この箱状部材５２１には、背面側に冷却ユニット６からの空気を内部に導入するための導入口５２１Ａ（図４）が形成され、箱状部材５１１と対向する側の端面に、箱状部材５１１の前記第２導入口に対応して、内部の空気を外部に排出するための排出口（図示略）が形成されている。
【００３８】
〔５．冷却ユニットの構成〕
冷却ユニット６は、プロジェクタ１内部の構成部材を冷却するものである。この冷却ユニット６は、図３または図４に示すように、電源ユニット５を主に冷却する電源ユニット冷却部６１と、プロジェクタ１内部の空気を外部に排出するための光源装置冷却部６２等を含んで構成される。
なお、具体的な図示は省略するが、冷却ユニット６は、各液晶パネル４４１や偏光変換素子４１４を冷却するための冷却ファンやダクトで構成される液晶パネル冷却部等も備えている。
【００３９】
電源ユニット冷却部６１は、図３または図４に示すように、光源装置４１１および電源ユニット５と外装筺体２の背面部２１Ｄ，２２Ｄとの間の空間に配設される。この電源ユニット冷却部６１は、図３または図４に示すように、吸気側ダクト６１１と、シロッコファン６１２と、第１排気側ダクト６１３とを備える。そして、電源ユニット冷却部６１は、シロッコファン６１２の駆動により、プロジェクタ１外部の冷却空気を、ロアーケース２２に形成された吸気口（図示略）〜吸気側ダクト６１１〜シロッコファン６１２〜排気側ダクト６１３の空気流通路を辿って電源ユニット５を構成する各箱状部材５１１，５２１の各導入口５１１Ａ，５２１Ａを介して各箱状部材５１１，５２１内部に導入する。電源ユニット５のうち箱状部材５２１内部に導入された空気は、箱状部材５２１の排出口（図示略）および箱状部材５１１の第２導入口（図示略）を介して箱状部材５１１内部に導入される。箱状部材５２１内部において、導入口５２１Ａから排出口へと空気が流通する際に、ランプ駆動ブロック５２の回路基板が冷却される。また、電源ユニット５のうち箱状部材５１１内部に導入された空気は、排出口５１１Ｂを介して、箱状部材５１１および光源装置４１１で形成される略Ｌ字形状の内側部分に排出される。箱状部材５１１内部において、第１導入口５１１Ａおよび第２導入口から排出口５１１Ｂへと空気が流通する際に、電源ブロック５１の回路基板が冷却される。
【００４０】
光源装置冷却部６２は、図３または図４に示すように、光源装置４１１および箱状部材５１１で形成される略Ｌ字形状の内側部分に配設される。この光源装置冷却部６２は、図３または図４に示すように、軸流ファン６２１と、第２排気側ダクト６２２とを備える。そして、光源装置冷却部６２は、軸流ファン６２１の駆動により、光源装置４１１および箱状部材５１１で形成される略Ｌ字形状の内側部分の空気（電源ユニット５を介して排出された空気等）や、その他の空間の空気を、軸流ファン６２１〜第２排気側ダクト６２２の空気流通路を辿ってフロントケース２３の排気口２３３を介して投射レンズ３の投射方向から離間する方向にプロジェクタ１外部へと排出する。より具体的に、光源装置４１１を構成するランプハウジング４１１Ｃには、図３または図４に示すように、前後方向に対向する各端面に空気を内外に流通可能とする複数の孔４１１Ｃ１が形成されており、軸流ファン６２１が駆動することにより、複数の孔４１１Ｃ１を介してランプハウジング４１１Ｃ内部の空気が軸流ファン６２１に吸入される。ランプハウジング４１１Ｃ内部において、複数の孔４１１Ｃ１を介して空気が流通する際に、光源ランプ４１１Ａやリフレクタ４１１Ｂが冷却される。
【００４１】
〔６．調光装置の構成〕
図６ないし図８は、調光装置７の概略構成を示す図である。具体的に、図６は、調光装置７を光束入射側から見た斜視図である。図７は、調光装置７を光束射出側から見た斜視図である。図８は、光束射出側から見た調光装置７の分解斜視図である。
なお、図６ないし図８では、説明の便宜上、入射光束の光軸をＺ軸、Ｚ軸に直交する２軸をＸ軸（水平軸）、Ｙ軸（垂直軸）とする。
調光装置７は、図６ないし図８に示すように、固定部材７１と、回動軸７２と、駆動機構７３と、一対の遮蔽部材７４と、付勢部材７５と、位置検出部７６（図６、図８）と、３つのフローティング固定機構７７と、調光装置７の温度を測定するサーミスタユニット７８とを備える。
【００４２】
固定部材７１は、回動軸７２、駆動機構７３、一対の遮蔽部材７４、付勢部材７５、および位置検出部７６をそれぞれ支持して一体化し、調光装置７全体を光学部品用筐体４５に対して着脱自在とする部分である。この固定部材７１は、図６ないし図８に示すように、第１固定部材７１１と、第２固定部材７１２とを備える。
第１固定部材７１１は、図６ないし図８に示すように、Ｚ軸方向から見た場合に平面視略コ字形状を有する板状部材から構成され、コ字形状の基端側端面７１１１にて駆動機構７３および位置検出部７６を支持するとともに、基端側端面７１１１にて回動軸７２および駆動機構７３を介して一対の遮蔽部材７４の−Ｘ軸方向側を回動可能に支持する。
【００４３】
この第１固定部材７１１において、基端側端面７１１１には、図８に示すように、Ｙ軸方向両端部側に回動軸７２を取り付けるための軸取付用孔７１１１Ａ，７１１１Ｂがそれぞれ形成されている。これら軸取付用孔７１１１Ａ，７１１１Ｂは、図８に示すように、調光装置７を光学部品用筐体４５に設置した状態で照明光軸Ａを通る水平面（ＸＺ平面）に対して対称となる位置にそれぞれ形成されている。
また、この第１固定部材７１１において、基端側端面７１１１には、図８に示すように、Ｚ軸方向両端部側に駆動機構７３の後述するモータを固定するためのモータ固定用孔７１１１Ｃ，７１１１Ｄがそれぞれ形成されている。
さらに、この第１固定部材７１１において、基端側端面７１１１には、図８に示すように、各モータ固定用孔７１１１Ｃ，７１１１Ｄの間に前記モータのモータ軸を挿通するためのモータ軸挿通孔７１１１Ｅが形成されている。
【００４４】
また、この第１固定部材７１１において、基端側端面７１１１には、図６ないし図８に示すように、ＸＺ平面に沿って延出する第１固定部７１１１Ｆ（図７、図８），７１１１Ｇ（図６、図８）が形成されている。この第１固定部７１１１Ｆ，７１１１Ｇは、第１固定部材７１１、すなわち、調光装置７全体をフローティング固定機構７７を介して光学部品用筐体４５に固定するための部位である。
さらに、この第１固定部材７１１において、コ字形状の各先端側端面７１１２には、図８に示すように、＋Ｘ軸方向端部側に第２固定部材７１２を固定するための固定用孔７１１２Ａがそれぞれ形成されている。
【００４５】
第２固定部材７１２は、図６ないし図８に示すように、Ｚ軸方向から見た場合に平面視略コ字形状を有する板状部材から構成され、コ字形状の基端側端面７１２１にて回動軸７２を介して一対の遮蔽部材７４の＋Ｘ軸方向側を回動可能に支持する。
この第２固定部材７１２において、基端側端面７１２１には、第１固定部材７１１および第２固定部材７１２を組み立てた状態で第１固定部材７１１の軸取付用孔７１１１Ａ，７１１１Ｂに対応した位置に回動軸７２を取り付けるための軸取付用孔７１２１Ａ，７１２１Ｂがそれぞれ形成されている。
また、この第２固定部材７１２において、基端側端面７１２１には、図８に示すように、−Ｚ軸方向端縁からＸＹ平面に沿って＋Ｘ軸方向に突出し突出部分の−Ｙ軸方向端縁がＸＺ平面に沿って＋Ｚ軸方向に延出する第２固定部７１２１Ｃが形成されている。この第２固定部７１２１Ｃの延出部分は、第１固定部材７１１の第１固定部７１１１Ｆ，７１１１Ｇとともに、調光装置７全体をフローティング固定機構７７を介して光学部品用筐体４５に固定するための部位である。
さらに、この第２固定部材７１２において、基端側端面７１２１には、図８に示すように、−Ｚ軸方向端縁のＹ軸方向略中央部分に＋Ｘ軸方向に突出し突出方向先端部分が−Ｚ軸方向に延出する付勢部材取付部７１２１Ｄが形成されている。この付勢部材取付部７１２１Ｄは、付勢部材７５を取り付けるための部位である。
【００４６】
また、この第２固定部材７１２において、コ字形状の各先端側端面７１２２には、図８に示すように、第１固定部材７１１の固定用孔７１１２Ａに対応して固定用孔７１２２Ａがそれぞれ形成されている。そして、各固定用孔７１１２Ａに各固定ねじ７１３（図８）をそれぞれ挿通し、各固定ねじ７１３を各固定用孔７１２２Ａに螺合することで、第１固定部材７１１および第２固定部材７１２が接続される。第１固定部材７１１および第２固定部材７１２が接続された状態では、Ｚ軸方向から見て矩形枠形状を有するものとなる。
【００４７】
回動軸７２は、図８に示すように、回動軸７２Ａ，７２Ｂ，７２Ｃ，７２Ｄの４つで構成される。これら各回動軸７２は、図８に示すように、略円柱形状を有し、一対の遮蔽部材７４を回動可能に軸支する。
より具体的に、各回動軸７２Ａ，７２Ｃは、一方の端部側が第１固定部材７１１の各軸取付用孔７１１１Ａ，７１１１Ｂに挿通され、他方の端部側にて駆動機構７３の後述する駆動ギアを回動可能に軸支し前記駆動ギアを介して一対の遮蔽部材７４の−Ｘ軸方向側を回動可能に軸支する。
また、各回動軸７２Ｂ，７２Ｄは、一方の端部側が第２固定部材７１２の各軸取付用孔７１２１Ａ，７１２１Ｂに挿通され、他方の端部側にて一対の遮蔽部材７４の＋Ｘ軸方向側を回動可能に軸支する。
【００４８】
駆動機構７３は、固定部材７１に支持されつつ、駆動することで一対の遮蔽部材７４を回動させる部材である。この駆動機構７３は、図８に示すように、モータ７３１と、駆動ギア７３２とを備える。
モータ７３１は、一般的なモータであり、前記制御基板による制御にて駆動する。そして、このモータ７３１は、そのモータ軸７３１１が＋Ｘ軸方向に向き固定部材７１のモータ軸挿通孔７１１１Ｅに挿通されるように配設される。そして、モータ７３１は、固定部材７１のモータ固定用孔７１１１Ｃ，７１１１Ｄに各固定ねじ７３３（図８）を挿通し各固定ねじ７３３を固定用孔７３１２，７３１３に螺合することで、第１固定部材７１１の−Ｘ軸方向端面に固定される。
また、モータ軸７３１１の先端部分には、図８に示すように、モータ軸７３１１の回転を駆動ギア７３２に伝達するためのピニオン７３１４が取り付けられている。
【００４９】
駆動ギア７３２は、図８に示すように、第１駆動ギア７３２１および第２駆動ギア７３２２の２つで構成され、モータ軸７３１１の回転（ピニオン７３１４の回転）を一対の遮蔽部材７４に伝達する部材である。
第１駆動ギア７３２１は、図８に示すように、平面視扇形状を有し、第１固定部材７１１の＋Ｘ軸方向端面に回動軸７２Ａを介して回動可能に取り付けられる。この第１駆動ギア７３２１は、図８に示すように、ギア本体７３２１Ａと、噛合部７３２１Ｂとで構成される。
【００５０】
ギア本体７３２１Ａは、図８に示すように、回動軸７２Ａに回動可能に軸支される部分であり、基端部分に回動軸７２Ａの他方の端部側を挿通可能とする円孔７３２１Ａ１が形成されている。
また、ギア本体７３２１Ａの＋Ｘ軸方向端面には、図８に示すように、＋Ｘ軸方向端面から突出し円孔７３２１Ａ１の中心位置から放射状に拡がる方向（図８ではＹ軸方向）に延出する取付部７３２１Ａ２が形成されている。
この取付部７３２１Ａ２は、第１駆動ギア７３２１に一対の遮蔽部材７４のうち＋Ｙ軸方向側に配設される第１遮蔽部材７４１を取り付けるための部材である。そして、この取付部７３２１Ａ２の略中心位置には、固定ねじ７３４（図８）を介して第１遮蔽部材７４１を固定するための固定用孔７３２１Ａ３が形成されている。
噛合部７３２１Ｂは、ギア本体７３２１Ａの先端部分の円弧状部分に形成され、ピニオン７３１４および第２駆動ギア７３２２と噛合する部分である。
【００５１】
第２駆動ギア７３２２は、図８に示すように、第１駆動ギア７３２１と略同様の形状を有し、第１駆動ギア７３２１のギア本体７３２１Ａ（円孔７３２１Ａ１、取付部７３２１Ａ２、および固定用孔７３２１Ａ３を含む）および噛合部７３２１Ｂと略同様の、ギア本体７３２２Ａ（円孔７３２２Ａ１、取付部７３２２Ａ２、および固定用孔７３２２Ａ３を含む）および噛合部７３２２Ｂで構成される。
ここで、円孔７３２２Ａ１には、回動軸７２Ｃの他方の端部側が挿通され、第２駆動ギア７３２２が回動可能に軸支される。
また、取付部７３２２Ａ２は、第２駆動ギア７３２２に一対の遮蔽部材７４のうち−Ｙ軸方向側に配設される第２遮蔽部材７４２を取り付けるための部材である。
さらに、噛合部７３２２Ｂは、第１駆動ギア７３２１の噛合部７３２１Ｂと噛合する部分である。すなわち、第２駆動ギア７３２２は、第１駆動ギア７３２１の回転に同期して回動することとなる。
【００５２】
一対の遮蔽部材７４は、回動軸７２および駆動機構７３を介して固定部材７１に対して回動可能に支持され、回動することで第１レンズアレイ４１２から射出された光束を部分的に遮蔽する部材である。
これら一対の遮蔽部材７４のうち＋Ｙ軸方向側に配設される第１遮蔽部材７４１は、図８に示すように、板状部材から構成され、Ｘ軸方向略中央部分７４１１が＋Ｚ軸方向側に位置し、Ｘ軸方向両端部分７４１２が−Ｚ軸方向側に位置する段付形状を有している。より具体的に、平面視略矩形形状のＸ軸方向略中央部分７４１１は第１レンズアレイ４１２から射出された光束を遮光可能とする遮光領域であり、Ｘ軸方向両端部分７４１２は第１レンズアレイ４１２から射出された光束を遮光しない非遮光領域である。すなわち、一対の遮蔽部材７４は、調光装置７を光学部品用筐体４５に設置した状態では、遮光領域（Ｘ軸方向略中央部分７４１１）が第２レンズアレイ４１２に近接し、非遮光領域（Ｘ軸方向両端部分７４１２）が第２レンズアレイ４１２から離間する側に位置することとなる。
【００５３】
Ｘ軸方向両端部分７４１２のうち、−Ｘ軸方向側に位置する部分は、図８に示すように、第１駆動ギア７３２１の取付部７３２１Ａ２に取り付けられる取付部７４１２Ａとして機能する。そして、取付部７４１２Ａには、取付部７３２１Ａ２の固定用孔７３２１Ａ３に対応して固定用孔７４１２Ａ１が形成されている。固定用孔７４１２Ａ１に固定ねじ７３４（図８）を挿通し、固定ねじ７３４を固定用孔７３２１Ａ３に螺合することで、第１遮蔽部材７４１が第１駆動ギア７３２１に接続される。
また、Ｘ軸方向両端部分７４１２のうち、＋Ｘ軸方向側に位置する部分には、図８に示すように、＋Ｘ軸方向端縁からＹＺ平面に沿って＋Ｚ軸方向に延出する取付部７４１２Ｂが形成されている。そして、取付部７４１２Ｂには、第２固定部材７１２の軸取付用孔７１２１Ａに対応して軸取付用孔７４１２Ｂ１が形成されている。各軸取付用孔７４１２Ｂ１，７１２１Ａに回動軸７２Ｂを挿通することで、回動軸７２Ｂにて第１遮蔽部材７４１の＋Ｘ軸方向側が第２固定部材７１２に対して回動可能に支持される。
【００５４】
また、一対の遮蔽部材７４のうち−Ｙ軸方向側に配設される第２遮蔽部材７４２は、図８に示すように、遮蔽部材７４１と略同様の形状を有し、第１遮蔽部材７４１のＸ軸方向略中央部分７４１１およびＸ軸方向両端部分７４１２（取付部７４１２Ａ、固定用孔７４１２Ａ１、取付部７４１２Ｂ、および軸取付用孔７４１２Ｂ１を含む）と略同様の、Ｘ軸方向略中央部分７４２１およびＸ軸方向両端部分７４２２（取付部７４２２Ａ、固定用孔７４２２Ａ１、取付部７４２２Ｂ、および軸取付用孔７４２２Ｂ１を含む）を備える。
そして、Ｘ軸方向略中央部分７４２１が上述した遮光領域となり、Ｘ軸方向両端部分７４２２が上述した非遮光領域となる。
また、固定用孔７４２２Ａ１に固定ねじ７３４（図８）を挿通し、固定ねじ７３４を固定用孔７３２２Ａ３に螺合することで、第２遮蔽部材７４２が第２駆動ギア７３２に接続される。
さらに、各軸取付用孔７４２２Ｂ１，７１２１Ｂに回動軸７２Ｄを挿通することで、回動軸７２Ｄにて第２遮蔽部材７４１の＋Ｘ軸方向側が第２固定部材７１２に対して回動可能に支持される。
【００５５】
付勢部材７５は、図８に示すように、コイルばねで構成され、ばね本体７５１からばねの各端部７５２が所定寸法延出する平面視略Ｖ字形状を有するように形成されている。また、各端部７５２の先端部分は、Ｖ字形状の外側に向かう方向に折り曲げられている。そして、この付勢部材７５は、調光装置７を組み立てた状態で、ばね本体７５１を第２固定部材７１２の付勢部材取付部７１２１Ｄに引っ掛け、各端部７５２の先端部分を第２固定部材７１２の各軸取付用孔７１２１Ａ，７１２１Ｂから突出した回動軸７２Ｂ，７２Ｄの一方の端部の先端部分に引っ掛けた状態で配設される。この状態では、付勢部材７５は、Ｖ字形状の外側に向けて付勢力が働き、回動軸７２Ｂ，７２Ｃを各軸取付用孔７１２１Ａ，７１２１Ｂの内周縁に当接させる。
【００５６】
位置検出部７６は、図８に示すように、第１固定部材７１１の＋Ｙ軸方向端部側に取り付けられ、遮蔽部材７４の回動位置を検出し、検出した回動位置に応じた信号を前記制御基板に出力する部分である。本実施形態では、この位置検出部７６は、赤外線を射出する発光ダイオードと、射出された赤外線の反射光を検出するフォトトランジスタとが１つの素子に組み合わされたフォトリフレクタを採用している。そして、位置検出部７６は、図８中、＋Ｘ軸方向に赤外線を射出し、第１駆動ギア７３２１のギア本体７３２１Ａにて反射した赤外線の反射光を検出して、第１駆動ギア７３２１の回動位置、すなわち、遮蔽部材７４の回動位置を検出する。
サーミスタユニット７８は、図６ないし図８に示すように、第１固定部材７１１の各先端側端面７１１２のうち＋Ｙ軸方向側の先端側端面７１１２上に取り付けられ、調光装置７全体の温度を検出する。そして、サーミスタユニット７８は、検出した調光装置７全体の温度に応じた信号を前記制御基板に出力する。一対の遮蔽部材７４で光源装置４１１からの光束を遮光する時に生じる熱により調光装置７全体も温度上昇するため、所定の温度範囲内にあるかどうかを監視する必要がある。前記制御基板は、何らかの不具合により調光装置７全体の温度が所定の温度範囲を超えた場合には、プロジェクタ１の稼動を停止する。
【００５７】
図９は、調光装置７の駆動状態を示す図である。具体的に、図９は、調光装置７を光束入射側から見た斜視図である。なお、図９でも、図６ないし図８と同様に、入射光束の光軸をＺ軸、Ｚ軸に直交する２軸をＸ軸（水平軸）、Ｙ軸（垂直軸）とする。
調光装置７は、上述した構成により、図９に示すように、Ｘ軸に平行な一対の軸（回動軸７２Ａおよび回動軸７２Ｂと、回動軸７２Ｃおよび回動軸７２Ｄ）を中心として一対の遮蔽部材７４がそれぞれ対称な状態（同期した状態）で回動する。
そして、図９（Ａ）に示すように、第１遮蔽部材７４１におけるＸ軸方向略中央部分７４１１の−Ｙ軸方向端縁が＋Ｙ軸方向側に移動するように第１遮蔽部材７４１を回動させる際の限界位置（全開位置）、同様に、第２遮蔽部材７４２におけるＸ軸方向略中央部分７４２１の＋Ｙ軸方向端縁が−Ｙ軸方向側に移動するように第２遮蔽部材７４２を回動させる際の限界位置（全開位置）では、第１レンズアレイ４１２から射出された光束は、一対の遮蔽部材７４にて遮光されることなく第２レンズアレイ４１３に向う。
【００５８】
また、図９（Ｂ）に示すように、第１遮蔽部材７４１におけるＸ軸方向略中央部分７４１１の−Ｙ軸方向端縁が前記全開位置よりも−Ｙ軸方向に位置するように第１遮蔽部材７４１を回動させた際の位置、同様に、第２遮蔽部材７４２におけるＸ軸方向略中央部分７４２１の＋Ｙ軸方向端縁が前記全開位置よりも＋Ｙ軸方向に位置するように第２遮蔽部材７４１を回動させた際の位置では、第１レンズアレイ４１２から射出され光束は、第２レンズアレイ４１３のＹ軸方向両端部側に形成された各レンズ要素に向かう光束が一対の遮蔽部材７４にて遮光される。
【００５９】
さらに、図９（Ｃ）に示すように、第１遮蔽部材７４１におけるＸ軸方向略中央部分７４１１の−Ｙ軸方向端縁が−Ｙ軸方向に移動するように第１遮蔽部材７４１を回動させる際の限界位置（全閉位置）、同様に、第２遮蔽部材７４２におけるＸ軸方向略中央部分７４２１の＋Ｙ軸方向端縁が＋Ｙ軸方向に移動するように第２遮蔽部材７４２を回動させる際の限界位置（全閉位置）では、第１レンズアレイ４１２から射出された光束は、一対の遮蔽部材７４にて略全てが遮光される。
【００６０】
そして、前記制御基板は、外部から入力された画像信号に基づいて例えば輝度値を算出し、該算出した輝度値および位置検出部７６から出力される信号（一対の遮蔽部材７４の回動位置）に基づいて、モータ７３１を駆動制御する。より具体的には、前記制御基板は、モータ７３１を駆動制御して、輝度値が高い場合には前記全開位置側に一対の遮蔽部材７４が位置するように回動させ、輝度値が低い場合には前記全閉位置側に一対の遮蔽部材７４が位置するように回動させる。
また、位置検出部７６が一対の遮蔽部材７４の初期位置を検出する構成とすれば、前記制御基板は、例えばプロジェクタ１の起動時にモータ７３１を駆動制御して一対の遮蔽部材７４を初期位置に位置付けることを可能とする。
【００６１】
図１０は、フローティング固定機構７７の概略構成を示す断面図である。
３つのフローティング固定機構７７は、図１０に示すように、第１固定部７１１１Ｆ，７１１１Ｇおよび第２固定部７１２１Ｃを介して調光装置７全体を光学部品用筐体４５に固定するための部材である。なお、３つのフローティング固定機構７７は、同様の構成を有しているため、以下では、１つのフローティング固定機構７７のみを説明する。
フローティング固定機構７７は、図１０に示すように、固定ねじ７７１と、ワッシャ７７２と、筒状部７７３と、弾性部材７７４とを備える。
固定ねじ７７１は、図１０に示すように、第１固定部７１１１Ｆ，７１１１Ｇおよび第２固定部７１２１Ｃに形成された固定用孔７１１１Ｆ１，７１１１Ｇ１，７１２１Ｃ１に挿通され、光学部品用筐体４５の固定用孔４５１Ｂに螺合する部材である。この固定ねじ７７１は、図１０に示すように、回転端７７１１と、当接部７７１２と、ねじ部７７１３とを備える。
これらのうち、当接部７７１２は、図１０に示すように、ねじ部７７１３よりも径寸法の大きい略円柱形状を有し、円柱軸方向の長さ寸法がワッシャ７７２および弾性部材７７４の厚み寸法よりも若干小さい寸法を有する。そして、固定ねじ７７１のねじ部７７１３を光学部品用筐体４５の固定用孔４５１Ｂに螺合した状態では、当接部７７１２が固定用孔４５１Ｂの周縁部分に当接する。
【００６２】
筒状部７７３は、図１０に示すように、固定ねじ７７１の当接部７７１２およびねじ部７７１３を挿通可能に構成され、筒状軸方向の長さ寸法が固定ねじ７７１の当接部７７１２の円柱軸方向の長さ寸法と略同様の寸法を有する。そして、この筒状部７７３は、弾性部材７７４の形状変形を防止する等の機能を有する。
【００６３】
弾性部材７７４は、図１０に示すように、固定ねじ７７１の当接部７７１２およびねじ部７７１３と筒状部７７３とを挿通可能とする略円筒形状を有する。また、弾性部材７７４は、図１０に示すように、外周面において、円筒軸方向略中央部分には、円筒周方向に形成され円筒軸中心に向けて窪む環状の凹部７７４１を有する。
そして、弾性部材７７４は、第１固定部７１１１Ｆ，７１１１Ｇおよび第２固定部７１２１Ｃに形成された固定用孔７１１１Ｆ１，７１１１Ｇ１，７１２１Ｃ１に挿通され、凹部７７４１に固定用孔７１１１Ｆ１，７１１１Ｇ１，７１２１Ｃ１の周縁部分が嵌合するように配置される。
【００６４】
以上のような構成により、フローティング固定機構７７は、固定ねじ７７１を光学部品用筐体４５の固定用孔４５１Ｂに螺合することで、固定ねじ７７１の回転端７７１１およびワッシャ７７２と光学部品用筐体４５の間で弾性部材７７４が圧縮され、該弾性部材７７４を介して固定部材７１を光学部品用筐体４５に対して支持固定する。そして、この状態では、弾性部材７７４により光学部品用筐体４５に機械的に干渉しない非干渉状態で固定部材（調光装置７）が固定される。
また、本実施形態では、第１固定部７１１１Ｆ，７１１１Ｇおよび第２固定部７１２１Ｃと、これら固定部７１１１Ｆ，７１１１Ｇ，７１２１Ｃに対応する３つのフローティング固定機構７７とは、モータ７３１を挟む２箇所の各位置（第１固定部７１１１Ｆ，７１１１Ｇの各位置）、その２箇所から照明光軸Ａを挟んで三角形（ＸＺ平面に平行な三角形）となる位置（第２固定部７１２１Ｃの位置）にそれぞれ配置され、調光装置７全体の重量のバランスをとっている。
【００６５】
上述した実施形態においては、以下の効果がある。
図１１は、前記実施形態の効果を説明するための図である。なお、図１１では、説明の便宜上、調光装置７では第１遮蔽部材７４１のみを図示し、光学部品用筐体４５では第２レンズアレイ４１３を支持する溝部４５１Ａを含む支持構造のみを図示している。
本実施形態では、調光装置７は、第１レンズアレイ４１２および第２レンズアレイ４１３の間に配設され、回動可能とし回動することで第１レンズアレイ４１２から射出された光束を部分的に遮蔽する一対の遮蔽部材７４を備える。そして、一対の遮蔽部材７４は、全閉位置に位置付けられた状態で、遮光領域であるＸ軸方向略中央部分７４１１，７４２１が光束射出側に位置し、非遮光領域であるＸ軸方向両端部分７４１２，７４２２が光束入射側に位置する段付形状を有する。このことにより、図１１に示すように、光学部品用筐体４５における第２レンズアレイ４１３の溝部４５１Ａを含む支持構造に対して第１遮蔽部材７４１におけるＸ軸方向両端部分７４１２が機械的に干渉することなく第１遮蔽部材７４１におけるＸ軸方向略中央部分７４１１を第２レンズアレイ４１３の近接位置に配設できる。また、図１１に示すように、第１遮蔽部材７４１を回動させた場合であっても、第１遮蔽部材７４１と光学部品用筐体４５における第２レンズアレイ４１３を支持する溝部４５１Ａを含む支持構造とが機械的に干渉することも回避できる構造を実現できる。なお、第２遮蔽部材７４２も上述した第１遮蔽部材７４１と同様である。
したがって、一対の遮蔽部材７４を第２レンズアレイ４１３に近接配置できかつ、一対の遮蔽部材７４を回動させた場合であっても溝部４５１Ａを含む支持構造と機械的に干渉しない構造を実現できるため、調光装置７を設置するスペースを不要に大きくすることなく狭いスペースに配設可能とし、調光装置７にて光源装置４１１から射出され第１レンズアレイ４１２を介して第２レンズアレイ４１３に向う照明光の光量を良好に調整できる。
【００６６】
ここで、調光装置７は、一対の遮蔽部材７４、回動軸７２、および駆動機構７３をそれぞれ支持して一体化する固定部材７１を備えている。すなわち、調光装置７は、固定部材７１により、一対の遮蔽部材７４、回動軸７２、および駆動機構７３がユニット化される。そして、固定部材７１は、フローティング固定機構７７により、調光装置７全体を光学部品用筐体４５に対して着脱自在とする。このことにより、例えば、一対の遮蔽部材７４、回動軸７２、および駆動機構７３を光学部品用筐体４５に直接、支持させる構成と比較して、調光装置７に何らかの不具合により交換を行う際に、固定ねじ７７１を取り外すことで調光装置７全体を光学部品用筐体４５に対して取り外すことができ、容易に調光装置７の交換を行うことができる。また、光学部品用筐体４５内部の狭いスペースで一対の遮蔽部材７４、回動軸７２、および駆動機構７３を光学部品用筐体４５に直接、取り付ける作業を実施する必要がなく、一対の遮蔽部材７４、回動軸７２、および駆動機構７３を固定部材７１に取り付けた後、調光装置７を光学部品用筐体４５に対して取り付けるだけで調光装置７を設置でき、調光装置７の組み立ても容易に実施できる。
【００６７】
また、フローティング固定機構７７は、固定ねじ７７１を光学部品用筐体４５の固定用孔４５１Ｂに螺合することで固定ねじ７７１の回転端７７１１およびワッシャ７７２と光学部品用筐体４５の間で弾性部材７７４を圧縮して固定部材７１を支持固定し、該弾性部材７７４により光学部品用筐体４５に機械的に干渉しない非干渉状態で固定部材７１を固定する。このことにより、駆動機構７３を構成するモータ７３１の駆動による振動を弾性部材７７４にて吸収させることができ、前記振動が光学部品用筐体４５に伝達されることを回避できる。このため、投射レンズ３にて拡大投射された投影画像が前記振動に連動して振動することがなく、投影画像を利用者に良好に観賞させることができる。
さらに、付勢部材７５が回動軸７２Ｂ，７２Ｄを第２固定部材７１２に対して付勢するので、回動軸７２Ｂ，７２Ｄおよび固定部材７１間の取り付けガタを無くすことができ、一対の遮蔽部材７４を良好に回動させ調光装置７にて照明光の光量を良好に調整できる。
【００６８】
なお、本発明は前述の実施形態に限定されるものではなく、本発明の目的を達成できる範囲での変形、改良等は本発明に含まれるものである。
前記実施形態では、回動軸７２Ａ，７２Ｂと回動軸７２Ｃ，７２Ｄとは、照明光軸Ａを通る水平面（ＸＺ平面）に対して対称となる位置にそれぞれ配設されている。そして、回動軸７２Ａ，７２Ｂ，７２Ｃ，７２Ｄの配設位置により、第１遮蔽部材７４１は−Ｙ軸方向端縁がＹ軸方向に移動するように回動し、第２遮蔽部材７４１は＋Ｙ軸方向端縁がＹ軸方向に移動するように回動する。しかしながら、本発明はこれに限らない。例えば、第１遮蔽部材７４１および第２遮蔽部材７４２を照明光軸Ａを中心として９０°の回転対称となるように配設し、回動方向を前記実施形態で説明した回動方向に対して照明光軸Ａを中心として９０°の回転対称となる回動方向とする構成を採用してもよい。例えば、第１レンズアレイ４１２および第２レンズアレイ４１３の各レンズ要素の水平方向の数よりも鉛直方向の数が多い場合には前記実施形態の回動方向を採用すればよく、第１レンズアレイ４１２および第２レンズアレイ４１３の各レンズ要素の鉛直方向の数よりも水平方向の数が多い場合には前記実施形態の回動方向に対して照明光軸Ａを中心として９０°の回転対称となる回動方向とする構成を採用すればよい。すなわち、このように回動方向を設定することで、調光装置７にて照明光の光量を調整する際の調光レンズを広くとれる。
【００６９】
前記実施形態において、フローティング固定機構７７の構成は、前記実施形態で説明した構成に限らず、固定部材７１（調光装置７）と光学部品用筐体４５とが機械的に干渉しない非干渉状態となるように調光装置７を光学部品用筐体４５に固定可能とする構成であれば、いずれの構成を採用しても構わない。
【００７０】
前記実施形態において、位置検出部７６の配設位置および構成は、前記実施形態で説明した配設位置および構成に限らず、その他の配設位置および構成を採用してもよい。
例えば、位置検出部７６は、第１固定部材７１１に取り付けられ、第１駆動ギア７３２１の回動位置を検出していたが、これに限らず、第２駆動ギア７３２２、第１遮蔽部材７４１、あるいは、第２遮蔽部材７４２等の回動位置を検出可能とする位置に配設する構成を採用してもよい。
また、例えば、位置検出部７６は、フォトリフレクタで構成されていたが、これに限らず、モータ７３１のモータ軸７３１１に配設し、モータ軸７３１１の回転数を検出するロータリーエンコーダとする構成を採用してもよい。
【００７１】
前記実施形態では、固定部材７１により調光装置７全体がユニット化されていたが、固定部材７１を省略し、回動軸７２、駆動機構７３、および一対の遮蔽部材７４等を光学部品用筐体４５に直接、取り付ける構成を採用しても本発明の目的を十分に達成できる。
【００７２】
前記実施形態では、３つの液晶パネル４４１を用いたプロジェクタ１を説明したが、これに限らない。例えば、１つの液晶パネルを用いたプロジェクタ、２つの液晶パネルを用いたプロジェクタ、あるいは、４つ以上の液晶パネルを用いたプロジェクタにも適用可能である。また、液晶パネル４４１は、透過型を採用していたが、これに限らず、反射型の液晶パネルを採用してもよく、あるいは、ディジタル・マイクロミラー・デバイス（テキサス・インスツルメント社の商標）を採用してもよい。ディジタル・マイクロミラー・デバイスを採用した場合には、入射側偏光板４４２Ａおよび射出側偏光板４４２Ｂが不要となる。
前記実施形態では、光学ユニット４は、平面視略Ｌ字状の形状を有していたが、その他の形状を採用してもよく、例えば、平面視略Ｕ字状の形状としてもよい。
前記実施形態では、スクリーンを観察する方向から投射を行うフロントタイプのプロジェクタの例のみを説明したが、本発明では、スクリーンを観察する方向とは反対側から投射を行うリアタイプのプロジェクタにも適用可能である。
【００７３】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００７４】
本発明は、調光装置の設置スペースを大きくすることなく調光装置にて照明光の光量を良好に調整できるため、プレゼンテーションやホームシアタ等で用いられるプロジェクタとして利用できる。
利用できる。
【図面の簡単な説明】
【００７５】
【図１】本実施形態におけるプロジェクタの外観を示す斜視図。
【図２】前記実施形態におけるプロジェクタの外観を示す斜視図。
【図３】前記実施形態におけるプロジェクタの内部構成を示す図。
【図４】前記実施形態におけるプロジェクタの内部構成を示す図。
【図５】前記実施形態における光学ユニットの光学系を模式的に示す平面図。
【図６】前記実施形態における調光装置の概略構成を示す図。
【図７】前記実施形態における調光装置の概略構成を示す図。
【図８】前記実施形態における調光装置の概略構成を示す図。
【図９】前記実施形態における調光装置の駆動状態を示す図。
【図１０】前記実施形態におけるフローティング固定機構の概略構成を示す断面図。
【図１１】前記実施形態の効果を説明するための図。
【符号の説明】
【００７６】
１・・・プロジェクタ、３・・・投射レンズ（投射光学装置）、７・・・調光装置、４１・・・インテグレータ照明光学系、４５・・・光学部品用筐体、７１・・・固定部材、７２，７２Ａ，７２Ｂ，７２Ｃ，７２Ｄ・・・回動軸、７３・・・駆動機構、７４，７４１，７４２・・・遮蔽部材、７５・・・付勢部材、４１１・・・光源装置、４１２・・・第１レンズアレイ、４１３・・・第２レンズアレイ、４１５・・・重畳レンズ、４４１・・・液晶パネル（光変調装置）、７７４・・・弾性部材、７４１１，７４２１・・・Ｘ軸方向略中央部分（遮光領域）、７４１２，７４２２・・・Ｘ軸方向両端部分（非遮光領域）、Ａ・・・照明光軸。
【図１】
2007071913.tif 000003
【図２】
2007071913.tif 000004
【図３】
2007071913.tif 000005
【図４】
2007071913.tif 000006
【図５】
2007071913.tif 000007
【図６】
2007071913.tif 000008
【図７】
2007071913.tif 000009
【図８】
2007071913.tif 000010
【図９】
2007071913.tif 000011
【図１０】
2007071913.tif 000012
【図１１】
2007071913.tif 000013